【手続補正書】
【提出日】平成25年5月21日(2013.5.21)
【手続補正１】
【補正対象書類名】特許請求の範囲
【補正対象項目名】全文
【補正方法】変更
【補正の内容】
【特許請求の範囲】
【請求項１】
表示制御を行う制御部を備える情報処理装置によって実行される表示方法であって、
フォルダには複数のオブジェクトが格納され、
前記フォルダを示すフォルダアイコンを表示し、
前記フォルダアイコンに対してドラッグ操作がなされると、前記制御部による制御によって、前記ドラッグ操作に対応する軌跡を表示するとともに、前記軌跡上に、前記オブジェクトを示すオブジェクトアイコンを展開表示する表示方法。
【請求項２】
前記展開表示されるオブジェクトアイコン間の表示距離が前記ドラッグ操作の操作速度に応じて変化する請求項１に記載の表示方法。
【請求項３】
前記展開表示される複数のオブジェクトアイコンのうち、一部のオブジェクトアイコンが展開表示された段階で前記ドラッグ操作が終了されると、前記展開表示されるオブジェクトアイコンが前記フォルダアイコンに存在することを通知する請求項１または２に記載の表示方法。
【請求項４】
前記ドラッグ操作とは異なる方向へのドラッグ操作が前記フォルダアイコンに対してなされると、前記異なるドラッグ操作に対応する軌跡を表示し、前記軌跡上に、前記存在するオブジェクトアイコンを展開表示する請求項３に記載の表示方法。
【請求項５】
前記フォルダアイコンの色を変化させることで前記オブジェクトアイコンが存在することを通知する請求項３または４に記載の表示方法。
【請求項６】
前記複数のオブジェクトは、階層構造をなすファイルおよび／またはフォルダである請求項１乃至５のいずれかに記載の表示方法。
【請求項７】
前記オブジェトアイコンが展開表示された後、前記フォルダアイコンに対する所定の操作がなされると、前記展開表示されたオブジェクトアイコンを消去する請求項１乃至６のいずれかに記載の表示方法。
【請求項８】
表示制御を行う制御部を備える情報処理装置によって実行される表示方法であって、
第１のフォルダには、少なくとも第２のフォルダを含む複数のオブジェクトが格納されるとともに、前記第２のフォルダには、複数のオブジェクトが格納され、
前記第１のフォルダを示す第１フォルダアイコンを表示し、
前記第１フォルダアイコンに対して第１ドラッグ操作がなされると、前記制御部による制御によって、前記第１ドラッグ操作に対応する第１の軌跡を表示し、
前記第１の軌跡上に、前記第１のフォルダに格納されるオブジェクトのオブジェクトアイコンを展開表示するとともに、少なくとも第２のフォルダを示す第２フォルダアイコンを展開表示し、
前記第１ドラッグ操作とは異なる方向への第２ドラッグ操作が前記第２フォルダアイコンに対してなされると、前記第２ドラッグ操作に対応する第２の軌跡を表示し、
前記第２の軌跡上に、前記第２のフォルダに格納されるオブジェクトのオブジェクトアイコンを展開表示する表示方法。
【請求項９】
前記第１のフォルダには、さらに第３のフォルダが格納されるとともに、前記第３のフォルダには複数のオブジェクトが格納され、
前記第１ドラッグ操作に応じて、第３のフォルダを示す第３フォルダアイコンを前記第１の軌跡上にさらに展開表示し、
前記第１および第２ドラッグ操作とは異なる方向への第３ドラッグ操作が前記第３のフォルダアイコンに対してなされると、前記第３ドラッグ操作に対応する第３の軌跡を表示し、
前記第３の軌跡上に、前記第３のフォルダに格納されるオブジェクトのオブジェクトアイコンを展開表示し、
前記第２の軌跡上に表示されたオブジェクトアイコンに対して前記第３の軌跡に向かうドラッグ操作がなされると、前記オブジェクトアイコンを前記第３の軌跡上に表示するとともに、前記オブジェクトアイコンに対応するオブジェクトを前記第３のフォルダに格納する請求項８に記載の表示方法。
【請求項１０】
前記軌跡を識別可能に表示する請求項８または９に記載の表示方法。
【請求項１１】
表示制御を行う制御部を備え、
フォルダには複数のオブジェクトが格納され、
前記フォルダを示すフォルダアイコンを表示し、
前記フォルダアイコンに対するドラッグ操作がなされると、前記制御部による制御によって、前記ドラッグ操作に対応する軌跡を表示するとともに、前記軌跡上に、前記オブジェクトを示すオブジェクトアイコンを展開表示する情報処理装置。
【手続補正２】
【補正対象書類名】明細書
【補正対象項目名】０００７
【補正方法】変更
【補正の内容】
【０００７】
上述した課題を解決するために、第１の発明は、表示制御を行う制御部を備える情報処理装置によって実行される表示方法であって、
フォルダには複数のオブジェクトが格納され、
フォルダを示すフォルダアイコンを表示し、
フォルダアイコンに対してドラッグ操作がなされると、制御部による制御によって、ドラッグ操作に対応する軌跡を表示するとともに、軌跡上に、オブジェクトを示すオブジェクトアイコンを展開表示する表示方法である。
【手続補正３】
【補正対象書類名】明細書
【補正対象項目名】０００８
【補正方法】変更
【補正の内容】
【０００８】
また、第２の発明は、表示制御を行う制御部を備える情報処理装置によって実行される表示方法であって、
第１のフォルダには、少なくとも第２のフォルダを含む複数のオブジェクトが格納されるとともに、第２のフォルダには、複数のオブジェクトが格納され、
第１のフォルダを示す第１フォルダアイコンを表示し、
第１フォルダアイコンに対して第１ドラッグ操作がなされると、制御部による制御によって、第１ドラッグ操作に対応する第１の軌跡を表示し、
第１の軌跡上に、第１のフォルダに格納されるオブジェクトのオブジェクトアイコンを展開表示するとともに、少なくとも第２のフォルダを示す第２フォルダアイコンを展開表示し、
第１ドラッグ操作とは異なる方向への第２ドラッグ操作が第２フォルダアイコンに対してなされると、第２ドラッグ操作に対応する第２の軌跡を表示し、
第２の軌跡上に、第２のフォルダに格納されるオブジェクトのオブジェクトアイコンを展開表示する表示方法である。
【手続補正４】
【補正対象書類名】明細書
【補正対象項目名】０００９
【補正方法】変更
【補正の内容】
【０００９】
また、第３の発明は、表示制御を行う制御部を備え、
フォルダには複数のオブジェクトが格納され、
フォルダを示すフォルダアイコンを表示し、
フォルダアイコンに対するドラッグ操作がなされると、制御部による制御によって、ドラッグ操作に対応する軌跡を表示するとともに、軌跡上に、オブジェクトを示すオブジェクトアイコンを展開表示する情報処理装置である。
【手続補正５】
【補正対象書類名】明細書
【補正対象項目名】００４５
【補正方法】変更
【補正の内容】
【００４５】
次に第４の表示例を説明する。図７に示すように、表示部１１にはフォルダアイコン７０１が表示されている。フォルダアイコン７０１に対応するフォルダ７０１には、複数のオブジェクトの一例として、ファイル７０２、ファイル７０３・・ファイル７１１が格納されている。フォルダアイコン７０１に対してドラッグ操作がなされる。ドラッグ操作に応じてマウスポインタＰが位置Ｐ１から位置Ｐ２まで移動する。そして、ドラッグ操作に伴い軌跡Ｌ１が表示され、フォルダ７０１に格納される複数のオブジェクトに対応するアイコンが軌跡Ｌ１上に展開表示される。
【手続補正６】
【補正対象書類名】明細書
【補正対象項目名】００５３
【補正方法】変更
【補正の内容】
【００５３】
そして、第１ドラッグ操作にともなって第１の軌跡としての軌跡Ｌ１が表示され、フォルダ８１に格納される複数のオブジェクトのアイコンが軌跡Ｌ１上に展開表示される。すなわち、第１ドラッグ操作に応じて、ファイルアイコン８２、フォルダアイコン８３、ファイルアイコン８４、ファイルアイコン８５が軌跡Ｌ１上に展開表示される。